(57)【特許請求の範囲】
【請求項１】
パウチに用いられる誤接続防止用スパウトであって、開封用の開封爪（１）が装着された隔壁（２）を有するスパウト本体と、前記スパウト本体と分離可能でありパウチ内への接続針の到達を防止するための接続針挿入防止用部材（５、５０）を有するノズル（７）とを備え、前記ノズル（７）が、前記スパウト本体内に収納可能であり、使用時に前記スパウト本体と直列的に結合可能である誤接続防止用スパウトであって、
前記隔壁（２）とスパウト本体の間に環状薄肉脆弱部（９）が設けられており、前記ノズル（７）を前記スパウト本体内に収納する際に、前記ノズルが前記環状薄肉脆弱部（９）にまで到達し、前記環状薄肉脆弱部（９）が補強されるようになっていることを特徴とする前記誤接続防止用スパウト。
【請求項２】
前記ノズルの前記スパウト本体内への収納時および前記スパウト本体との直列的結合時に、前記ノズルと前記スパウト本体との間を固定するためのネジ付き部材（６１）を備えたことを特徴とする請求項１記載の誤接続防止用スパウト。
【請求項３】
前記ノズルの前記スパウト本体内への収納時および前記スパウト本体との直列的結合時に、前記ノズルと前記スパウト本体との間を固定するためのネジ部（６２）が前記ノズル端部および前記スパウト本体端部にそれぞれ対応して設けられていることを特徴とする請求項１記載の誤接続防止用スパウト。
【請求項４】
前記接続針挿入防止用部材が、ラセン状部材（５）であることを特徴とする請求項１〜３のいずれかに記載の誤接続防止用スパウト。
【請求項５】
前記接続針挿入防止用部材が、中板部材（５０）であることを特徴とする請求項１〜３のいずれかに記載の誤接続防止用スパウト。
【請求項６】
前記ノズルの前記スパウト本体内への収納時に外側に面する前記ノズル端部を覆うピンシール（６０）を備えたことを特徴とする請求項１〜５のいずれかに記載の誤接続防止用スパウト。
【請求項７】
請求項１〜６のいずれかに記載の誤接続防止用スパウトを接続したことを特徴とするパウチ。
【発明の詳細な説明】
【技術分野】
【０００１】
本発明は、内容物の長期保存安定性を保持し、接続針貫通防止構造を有する誤接続防止用スパウト及びそれに接続されるパウチに関する。本発明は、より詳しく言うと、スパウト栓体から侵入する酸素等によるパウチ内容物の成分劣化を抑さえ、長期間の保存安定性を維持した上で、接続針のパウチ内への到達を防止でき、パウチ内容物がスパウトを経て前記接続針に流入可能なようになっている接続針貫通防止構造を有する誤接続防止用スパウト及びそれを接続したパウチに関する。
【背景技術】
【０００２】
病院や介護施設等で患者や被介護者に提供される輸液製剤、液状経腸栄養剤、流動食品等は、患者毎に特定のものが投与されなければならない。そのため、輸液製剤投与用の注入管には、指示された輸液のみを注入すべきであり、液状経腸栄養剤や流動食品が接続されないように細心の注意が払われなければならない。
【０００３】
ところが、昨今、取り扱い上の不注意から、輸液製剤投与の際に、輸液製剤投与用の注入管に経腸栄養剤が誤って接続され、血管内に注入されてしまうなどの人為的ミスが発生している。このようなミスは、最悪の場合死に至るため、大きな社会問題となっている。
【０００４】
一般に、輸液製剤投与用の注入管の断端は、針状の形状を有するプラスチックや金属製の接続針となっており、輸液製剤の容器のゴム栓にこれらの接続針を突き刺して内容物を注入するようになっている。
ここで、誤接続による問題とは、従来の輸液製剤または経腸栄養剤等の投与システムが、いずれも注入管に連結された接続針をゴム栓またはスパウトの隔膜に突き刺すだけで投与が開始されてしまうという簡便さと、輸液製剤の注入管と経腸栄養剤等の注入管の接続が可能な形状にあることとに起因している。したがって、人為的ミスを防止することは当然であるが、人為的ミスが起こった場合に、輸液注入管への経腸栄養剤等の注入を未然に防止できるような方策によって誤接続を解決することが望まれている。
【０００５】
また、鼻孔から挿入されるチューブ、すなわちフィーディングチューブや胃瘻チューブすなわちＰＥＧチューブ等によって、経腸栄養剤や流動食品が投与される場合の合併症として、胃食道逆流やそれに伴う誤嚥性肺炎が問題となっている。これを予防するために、医療現場においては経腸栄養剤や流動食品を固形化して投与するなどの工夫がなされている。固形化する場合、投与に用いられる器具は一般に知られているシリンジであるが、医療関係者は投与の準備に過大な労力を必要とし、作業の負担が増大するという問題があった。
【０００６】
更に、ガスバリヤ性の高いパウチ容器本体の開口部に、ガスバリヤ性の低い合成樹脂から成型されたスパウト部を一体に設け、前記スパウト部にキャップ装置を螺着することからなる技術が、特許文献１に記載されている。しかしながら、この技術は、スパウト口先端とキャップの内壁の接合面で密閉させるため、内容物はスパウト栓体から侵入する酸素等によりパウチ内容物の成分劣化を引き起こし、長期間の保存安定性を維持することが困難であった。
【特許文献１】特開２００２−１４５２８７公報
【発明の開示】
【発明が解決しようとする課題】
【０００７】
したがって、本発明は、上記従来技術の問題点を解決し、内容物の長期保存安定性を保持しつつ、パウチ内部への接続針の貫通や輸液製剤注入管への経腸栄養剤等の注入を防止することができる誤接続防止用スパウト及びそれを接続したパウチを提供することを課題とする。
【課題を解決するための手段】
【０００８】
本発明者らは、上記課題を解決するために鋭意研究を重ねた結果、内容物の長期保存安定性を保持しつつ、接続針がパウチ内に到達することができず、パウチ内容物がスパウトを経て前記輸液用接続針に流入することができるような、接続針貫通防止構造部と、開封用の開封爪が装着された隔壁とを有するスパウトを採用することにより、上記課題を解決することができることを見出し、本発明を完成させた。
すなわち、本発明は、パウチに用いられる誤接続防止用スパウトであって、パウチ内への接続針の到達を防止するための接続針貫通防止構造部と、開封用の開封爪が装着された隔壁とを有するものである。
本発明はまた、前記接続針貫通防止構造部がＬ字状またはくの字状に形成されていることを特徴とする前記誤接続防止用スパウトである。
本発明はまた、前記接続針貫通防止構造部が、内部に接続針貫通防止用部材を有することを特徴とする前記誤接続防止用スパウトである。
本発明はまた、前記接続針貫通防止用部材が、ラセン状部材または中板部材であることを特徴とする前記誤接続防止用スパウトである。
本発明はまた、パウチに接続するためのスパウト本体溶着部が設けられていることを特徴とする前記誤接続防止用スパウトである。
本発明はまた、フィーディングチューブまたはＰＥＧチューブに直接接続できる形状を有することを特徴とする前記誤接続防止用スパウトである。
本発明はまた、パウチに用いられる誤接続防止用スパウトであって、開封用の開封爪が装着された隔壁を有するスパウト本体と、前記スパウト本体と分離可能でありパウチ内への接続針の到達を防止するための接続針貫通防止用部材を有するノズルとを備え、前記ノズルが、前記スパウト本体内に収納可能であり、使用時に前記スパウト本体と直列的に結合可能である誤接続防止用スパウトである。
本発明はまた、前記ノズルの前記スパウト本体内への収納時および前記スパウト本体との直列的結合時に、前記ノズルと前記スパウト本体との間を固定するためのネジ付き部材を備えた誤接続防止用スパウトである。
本発明はまた、前記ノズルの前記スパウト本体内への収納時および前記スパウト本体との直列的結合時に、前記ノズルと前記スパウト本体との間を固定するためのネジ部が前記ノズル端部および前記スパウト本体端部にそれぞれ対応して設けられている誤接続防止用スパウトである。
本発明はまた、前記ノズルの前記スパウト本体内への収納時に外側に面する前記ノズル端部を覆うシールを備えた誤接続防止用スパウトである。
さらに、本発明は、前記誤接続防止用スパウトを接続したことを特徴とするパウチである。
【発明の効果】
【０００９】
本発明の誤接続防止用スパウトは接続針貫通防止構造部を有しているため、細い径の輸液用接続針であっても太い径の輸液用接続針であっても、それらの貫通を防止することができる。
また、本発明の誤接続防止用スパウトは、パウチの内部に位置するように、スパウトの上部に開封用の開封爪が装着された隔壁を設けることにより、特別の開封用具を用いなくても、スパウト単独によりワンタッチで簡単にパウチを開封することができる。
また、本発明の誤接続防止用スパウトは、接続されるパウチと合致する形状と、空気と接触する面に隔壁を有しているため、スパウトへのパウチ容器内容物の接触面積を最小限に減少させ、ガスバリア性を向上させることができる。したがって、スパウトから侵入する酸素等によるパウチ内容物の成分劣化を防止し、その保存安定性を向上させることができる。
さらに、本発明のスパウトは、フィーディングチューブやＰＥＧチューブに合致する形状を有し、直接接続できるので、経腸栄養剤等のパウチの内容物を別容器に移し変えることなく、直接このスパウトを経腸栄養剤等の投与用チューブに接続できる。
また、本発明の誤接続防止用スパウトは、スパウト本体とノズルが分離可能であり、ノズルはスパウト本体内に収納可能である。ノズルをスパウト本体内に収納することにより、環状薄肉脆弱部が補強され保護できるため、輸送中の振動や衝撃によるスパウトの破断を防ぐことができる。また、スパウト本体がノズル全体のキャップになることでノズル外周の衛生面も向上させることができる。
【発明を実施するための最良の形態】
【００１０】
以下、本発明の誤接続防止用スパウトの実施の形態を、添付の図面を参照しながら詳しく説明する。
図１は本発明の誤接続防止用スパウトの第一の例を示す図で、（ａ）は上面図、（ｂ）は側面断面図、（ｃ）は底面図を示す。また、誤接続防止用スパウトをパウチに接続した状態の断面図を図２，図３に示す。
本発明の誤接続防止用スパウト１０は、パウチ１１と接続して用いられる。本発明の誤接続防止用スパウト１０を構成する材料は、プラスチックであれば種類は特に限定されない。
パウチ内容物１８としては、輸液、液状経腸栄養剤、流動食品等が挙げられる。
パウチ１１を構成する材料は特に限定されないが、内容物１８を封鎖して密封状態を保てるものであることが好ましい。また、レトルト加熱を要する場合もあるため、耐レトルト性にも優れているものであることが望ましい。パウチ１１の形状は特に限定されないが、たとえば、フィルムシート１２を二枚合わせ、周辺部１３をヒートシーラー等で熱溶着して成型されたものを用いることができる。
【００１１】
本発明の誤接続防止用スパウト１０は、パウチ１１の二枚のフィルムシートにはさまれるように、スパウト本体溶着部４を熱溶着して取り付けられることが好ましい。
パウチ１１は、スパウト取り付け位置の反対側に吊り下げ機構（図示せず）を有しており、使用に当ってはパウチを吊り下げ倒立状態にして用いられる。
本発明の誤接続防止用スパウト１０の上部には隔壁２が設けられている。さらに隔壁２には開封用の開封爪１が装着されており、両者はパウチ内部に位置している（図２，図３）。パウチの内部に位置する開封爪１をパウチの外側から押し倒すように横方向に指で圧力をかけると、開封爪１とスパウト本体溶着部４の間に設けられた環状薄肉脆弱部９が破断する。環状薄肉脆弱部９が破断して、図３に示す状態となったとき、パウチの内容物１８の流出が可能となる。従来のパウチのように隔壁の破断のために専用の治具を必要とせず、ワンタッチで開封できる極めてシンプルな構造である。流出したパウチ内容物１８は、誤接続防止用スパウト１０を通過して患者に投与され得る。開封後の開封爪１は、開封爪分離防止帯３に繋がる状態となり、通液阻害を起こさない状態となる。
【００１２】
本発明の誤接続防止用スパウト１０は、パウチ内への接続針の到達を防止するための接続針貫通防止構造部を有しており、これにより接続針がパウチ内に到達することができず、一方でパウチ内容物１８がスパウトを経て前記輸液用接続針に流入することができることを特徴とする。
このような接続針貫通防止構造部としては、特に限定されないが、例えば、図１（ｂ）に示されるように、接続針貫通防止用部材として内部にラセン状部材５を有するものがある。ラセン状部材５をスパウト内に設けると、接続針は途中で進入が不可能となるため、貫通が防止される。一方、パウチ内容物１８は、ラセン状部材５を通過して接続針方向に流れ落ちることが可能であるため、パウチ内容物１８は下方へ流れ、接続針は貫通が防止されるという効果が得られる。
【００１３】
なお、本発明の誤接続防止用スパウトの隔壁２は、肉厚部を有することが好ましい。隔壁２が肉厚部を有することにより、接続針の挿入が完全に防止されるという特徴を有する。
隔壁が肉厚部を有する場合、図４に示す隔壁２の厚みｈは１ｍｍ〜１０ｍｍ程度であることが好ましい。接続針の太さは、通常直径０．８〜８．０ｍｍであるため、細い径の接続針が、誤ってラセン状部材を通過するようなことがあっても、隔壁の肉厚部により貫通することができない。
【００１４】
本発明の誤接続防止用スパウト１０のスパウト本体溶着部４より下部は、根元と先端の径が異なる管状となっており、チューブ接続ノズル７の下部の内部には輸液用接続針挿入防止用のラセン状部材５が一体成型されている。また、チューブ接続ノズル７の底部にはピンシール８が溶着されており、使用時にはピンシール８を剥がして、接続針やチューブを接続する。ここでチューブとは、フィーディングチューブまたは胃瘻チューブすなわちＰＥＧチューブ等である。
図４，図５に示すように、誤接続防止用スパウト１０の先端部から、細い径の輸液用接続針１６、あるいは太い径の輸液用接続針１７が間違って挿入されようとした場合、接続針１６，１７の先端はラセン状部材５により挿入が阻止されるようになっている。
従来のスパウト付き容器を用いた経腸栄養剤等の投与システムでは、本来投与すべき接続針を刺したつもりで、他の接続針を刺してしまうという勘違いによる行為を防止できなかったが、本発明のスパウトは、このように突き刺すことができない構造になっており、致命的な要因を排除することができる。
【００１５】
なお、本発明の誤接続防止用スパウト１０のチューブ接続ノズル７の外側にはチューブ脱落防止用突起６（図１）が設けられており、チューブを接続するときにチューブが脱落しないような工夫がなされている。チューブ接続ノズル７に前記のフィーディングチューブまたは胃瘻チューブすなわちＰＥＧチューブ１４を接続する状態は図６に示される。ＰＥＧチューブ１４には蓋１５が設けられており、パウチ内容物１８を投与した後に、逆流を防止し、微生物汚染を防止する働きをする。この蓋を構成する材料は特に限定されないが、シリコンゴム系のものやポリプロピレン樹脂、ポリエチレン樹脂等が好適に用いられる。
【００１６】
図７は本発明の誤接続防止用スパウトの第二の例を示す図で、（ａ）は上面図、（ｂ）は側面断面図、（ｃ）は底面図を示す。本例の誤接続防止用スパウト１０’は、図１のラセン状部材５に代えて中板部材５０を設けた点で図１に示す第一の例と異なるが、その他の点は図１の第一の例と同様である。本例のスパウト１０’も、図２〜図６に示すスパウト１０と同様にして用いることができる。本例のように中板部材５０をスパウト内に設けると、接続針は途中で進入が不可能となるため、貫通が防止される。また、上述のように、誤接続防止用スパウトの隔壁２が肉厚部を有することにより、接続針の挿入が完全に防止される。例えば、細い径の接続針が、誤って中板部材５０の側部を通過するようなことがあっても、隔壁２の肉厚部により貫通することができない。一方、パウチ内容物は、中板部材５０の側部を通過して接続針方向に流れ落ちることが可能であるため、パウチ内容物は下方へ流れ、接続針は貫通が防止されるという効果が得られる。
【００１７】
次に、本発明の誤接続防止用スパウトの第三の例を説明する。本例の誤接続防止用スパウトをパウチに接続した状態の断面図を図８，図９に示す。
本発明の誤接続防止用スパウト２０は、接続針貫通防止構造部としてＬ字状に形成されている。本発明の誤接続防止用スパウト１０の上部には隔壁２２が設けられている。さらに隔壁２２には開封用の開封爪２１が装着されており、両者はパウチ内部に位置している（図８，図９）。パウチの内部に位置する開封爪２１をパウチの外側から押し倒すように横方向に指で圧力をかけると、第一の例と同様に、開封爪２１とスパウト本体溶着部の間に設けられた環状薄肉脆弱部が破断する。環状薄肉脆弱部が破断して、図９に示す状態となったとき、パウチの内容物１８の流出が可能となる。従来のパウチのように隔壁の破断のために専用の治具を必要とせず、ワンタッチで開封できる極めてシンプルな構造である。流出したパウチ内容物１８は、誤接続防止用スパウト２０を通過して患者に投与され得る。開封後の開封爪２１は、第一の例と同様に、開封爪分離防止帯に繋がる状態となり、通液阻害を起こさない状態となる。
【００１８】
本発明の誤接続防止用スパウト２０は、パウチ内への接続針の到達を防止するための接続針貫通防止構造部を有しており、これにより接続針は径の大小に関わらずパウチ内に到達することができず、一方でパウチ内容物１８がスパウトを経て前記輸液用接続針に流入することができることを特徴とする。本例の誤接続防止用スパウト２０は、接続針貫通防止構造部がＬ字状に形成されている。このため、接続針はＬ字部３０で進入が不可能となるため、貫通が防止される。一方、パウチ内容物１８は、Ｌ字部３０を通過して接続針方向に流れ落ちることが可能であるため、パウチ内容物１８は右方向へ流れ、接続針は貫通が防止されるという効果が得られる。ここで、Ｌ字状のＬ字部３０は角度９０度とする必要はなく、接続針の進入を阻止できる角度であればよい。
【００１９】
なお、本発明の誤接続防止用スパウトの隔壁２２は、肉厚部を有することが好ましい。隔壁が肉厚部を有する場合、図１０に示す隔壁２２の厚みｈは１ｍｍ〜１０ｍｍ程度であることが好ましい。接続針の太さは、通常直径０．８〜８．０ｍｍであるため、接続針が折れ曲がってＬ字部３０を通過するようなことがあっても、隔壁の肉厚部により貫通することができない。
【００２０】
本発明の誤接続防止用スパウト１０のスパウト本体溶着部４より下部は、Ｌ字状のＬ字部３０を有し、根元と先端の径が異なる管状となっている。また、チューブ接続ノズル２７の底部には、使用前は図示しないピンシールが溶着されており、使用時にピンシールを剥がして、接続針やチューブを接続する。ここでチューブとは、フィーディングチューブまたは胃瘻チューブすなわちＰＥＧチューブ等である。
図１０，図１１に示すように、誤接続防止用スパウト２０の先端部から、細い径の輸液用接続針１６、あるいは太い径の輸液用接続針１７が間違って挿入されようとした場合、接続針１６，１７の先端はＬ字状のＬ字部３０により挿入が阻止されるようになっている。
従来のスパウト付き容器を用いた経腸栄養剤等の投与システムでは、本来投与すべき接続針を刺したつもりで、他の接続針を刺してしまうという勘違いによる行為を防止できなかったが、本発明のスパウトは、このように突き刺すことができない構造になっており、致命的な要因を排除することができる。
【００２１】
なお、本発明の誤接続防止用スパウト２０のチューブ接続ノズル２７の外側には、図１に示すものと同様なチューブ脱落防止用突起が設けられており、チューブを接続するときにチューブが脱落しないような工夫がなされている。チューブ接続ノズル２７に前記のフィーディングチューブまたは胃瘻チューブすなわちＰＥＧチューブ１４を接続する状態は図６に示される。ＰＥＧチューブ１４には蓋１５が設けられており、パウチ内容物１８を投与した後に、逆流を防止し、微生物汚染を防止する働きをする。この蓋を構成する材料は特に限定されないが、シリコンゴム系のものやポリプロピレン樹脂、ポリエチレン樹脂等が好適に用いられる。
【００２２】
図１３（ａ）〜（ｇ）は、本発明に係る誤接続防止用スパウトの変形例を説明するための図である。図１３（ａ）は、図１のスパウトからラセン状部材５を取り除いたスパウト基本構造の一例を示す図である。図１３（ｂ）〜（ｇ）は、このスパウト基本構造のチューブ接続ノズル７の内部にそれぞれ接続針貫通防止部材を配置したもので、ノズル出口側から見た接続針貫通防止部材の平面図をそれぞれチューブ接続ノズル７の右、左または左右に示す。図１３（ｂ）は、接続針貫通防止部材としてラセン状部材５を配置したもので、上記の図１の構造と同様である。図１３（ｃ）は、接続針貫通防止部材として中板部材５０を配置したもので、上記の図７の構造と同様である。図１３（ｄ）は、チューブ接続ノズル７内部の長手方向に２つの半円状部材５１，５２をずらせて配置したものである。図１３（ｅ）は、チューブ接続ノズル７内部に棒部材５３を配置したものである。図１３（ｆ）は、チューブ接続ノズル７内部の長手方向に２つの穴あき円状部材５４，５５をずらせて配置したものである。図１３（ｇ）は、チューブ接続ノズル７内部に網部材５６を配置したものである。図１３（ｂ）〜（ｇ）の誤接続防止用スパウト１３０は、それぞれ上述のような接続針貫通防止部材を備えることにより、パウチ内容物はチューブ接続ノズル７を介して流れ落ちることができ、一方、接続針は貫通が防止されるという効果が得られる。
【００２３】
図１４（ａ）〜（ｇ）は、本発明に係る誤接続防止用スパウトの他の変形例を説明するための図である。図１４（ａ）は、パウチ内への接続針の到達を防止するための接続針貫通防止構造部がくの字状に形成されている誤接続防止用スパウトを示す。このくの字状の接続針貫通防止構造部により、接続針は径の大小に関わらずパウチ内に到達することができず、一方でパウチ内容物がスパウトを経て前記輸液用接続針に流入することができることを特徴とする。すなわち、本例の誤接続防止用スパウト１４０は、接続針貫通防止構造部がくの字状に形成されている。このため、接続針はくの字部１４１で進入が不可能となるため、貫通が防止される。一方、パウチ内容物は、くの字部１４１を通過して流れ落ちることができ、一方、接続針は貫通が防止されるという効果が得られる。ここで、くの字部１４１は接続針の進入を阻止できる角度に設定される。
【００２４】
また、図１４（ｂ）〜（ｇ）は、さらに図１４（ａ）のチューブ接続ノズル３７の内部にそれぞれ接続針貫通防止部材を配置したもので、ノズル出口側から見た接続針貫通防止部材の平面図をそれぞれチューブ接続ノズル３７の右、左または左右に示す。図１４（ｂ）は、接続針貫通防止部材としてラセン状部材５を配置したものである。図１４（ｃ）は、接続針貫通防止部材として中板部材５０を配置したものである。図１４（ｄ）は、チューブ接続ノズル３７内部の長手方向に２つの半円状部材５１，５２をずらせて配置したものである。図１４（ｅ）は、チューブ接続ノズル３７内部に棒部材５３を配置したものである。図１４（ｆ）は、チューブ接続ノズル３７内部の長手方向に２つの穴あき円状部材５４，５５をずらせて配置したものである。図１４（ｇ）は、チューブ接続ノズル３７内部に網部材５６を配置したものである。図１４（ｂ）〜（ｇ）の誤接続防止用スパウト１４０は、上記くの字状の接続針貫通防止構造部に加えて、それぞれ上述のような接続針貫通防止部材を備えることにより、接続針の貫通が防止されるという効果をさらに高めることができる。
【００２５】
図１５（ａ）〜（ｇ）は、本発明に係る誤接続防止用スパウトのさらに他の変形例を説明するための図である。図１５（ａ）に示すように、本例の接続針貫通防止構造部は、図１４のものと同様にくの字状であるが、くの字の折り曲げ部を滑らかにする連結部１５１を備える点で図１４のものと異なる。本例の誤接続防止用スパウト１５０の場合も、このくの字状の接続針貫通防止構造部により、接続針は径の大小に関わらずパウチ内に到達することができず、一方でパウチ内容物がスパウトを経て前記輸液用接続針に流入することができることを特徴とする。すなわち、接続針はくの字の連結部１５１で進入が不可能となるため、貫通が防止される。一方、パウチ内容物は、連結部１５１を通過して滑らかに流れ落ちることができ、一方、接続針は貫通が防止されるという効果が得られる。ここで、くの字の連結部１５１は接続針の進入を阻止できる角度に設定される。
【００２６】
また、図１５（ｂ）〜（ｇ）は、さらに図１５（ａ）のチューブ接続ノズル３７の内部にそれぞれ接続針貫通防止部材を配置したもので、ノズル出口側から見た接続針貫通防止部材の平面図をそれぞれチューブ接続ノズル３７の上、下または上下に示す。図１５（ｂ）は、接続針貫通防止部材としてラセン状部材５を配置したものである。図１５（ｃ）は、接続針貫通防止部材として中板部材５０を配置したものである。図１５（ｄ）は、チューブ接続ノズル３７内部の長手方向に２つの半円状部材５１，５２をずらせて配置したものである。図１５（ｅ）は、チューブ接続ノズル３７内部に棒部材５３を配置したものである。図１５（ｆ）は、チューブ接続ノズル３７内部の長手方向に２つの穴あき円状部材５４，５５をずらせて配置したものである。図１５（ｇ）は、チューブ接続ノズル３７内部に網部材５６を配置したものである。図１５（ｂ）〜（ｇ）の誤接続防止用スパウト１５０は、上記くの字状の接続針貫通防止構造部に加えて、それぞれ上述のような接続針貫通防止部材を備えることにより、接続針の貫通が防止されるという効果をさらに高めることができる。
【００２７】
図１６（ａ）〜（ｆ）は、本発明に係る誤接続防止用スパウトのさらに他の変形例を説明するための図である。本例の誤接続防止用スパウトは、開封用の開封爪が装着された隔壁を有するスパウト本体とパウチ内への接続針の到達を防止するための接続針挿入防止用部材を有するチューブ接続ノズルとが分離可能とされている。そして、このノズルは、スパウト本体内に収納可能であり、使用時にスパウト本体と直列的に結合可能とされている。その他は、図１、図７等に示す例と同様な構成であるが、本図では開封爪分離防止帯やチューブ接続ノズルに設けられた突起等は簡略化のため図示を省略している。スパウト本体は、図示のように、開封用の開封爪１が装着された隔壁２とスパウト本体溶着部４とを有し、隔壁２下部に環状薄肉脆弱部９が形成されている。本例の誤接続防止用スパウトは、使用前は、このスパウト本体内にノズル７を収納し、使用時には、このノズル７を取り出してスパウト本体に直列的に結合するようにしたものである。以下、詳述する。
【００２８】
図１６（ａ）、（ｂ）は、接続針挿入防止用部材として中板部材５０を用いた例である。図１６（ａ）に示すように、本例では、使用前は、スパウト本体内に中板部材５０を有するノズル７が収納されている。ネジ付き部材６１は、スパウト本体とノズル７との間を固定するためのものであるが、また、ピンシール６０とともにノズル収納スパウトのキャップの役目を果たす。このピンシール６０は、ノズルのスパウト本体内への収納時に外側に面するノズル端部を覆うものであり、これによりノズル収納スパウトがシールされる。基本的には、本例のパーツ構成は、スパウト本体とノズルとネジ付き部材の３ピースである。使用時には、ネジ付き部材６１を一旦外し、ノズル７をスパウト本体内から取り出して反転させ、ピンシール６０を剥がした後、図１６（ｂ）に示すように、再びネジ付き部材６１を用いてノズル７をスパウト本体に螺着固定する。
【００２９】
図１６（ｃ）、（ｄ）は、上記と同様、接続針挿入防止用部材として中板部材５０を用いた例であるが、図１６（ａ）、（ｂ）のものとは異なり、パーツ構成を基本的にはスパウト本体とノズルの２ピースとしたものである。図１６（ｃ）に示すように、本例では、使用前は、スパウト本体内に中板部材５０を有するノズル７が収納されている。本例では、ノズル７とスパウト本体との間を固定するためのネジ部６２がノズル端部およびスパウト本体端部にそれぞれ対応して設けられている。このネジ部６２により、スパウト本体とノズル７との間が固定され、ピンシール６０により外側に面するノズル端部が覆われ、これによりノズル収納スパウトがシールされる。使用時には、ネジ部６２を操作してノズル７をスパウト本体内から取り出して反転させ、ピンシール６０を剥がした後、図１６（ｄ）に示すように、再びネジ部６２を操作してノズル７をスパウト本体に螺着固定する。
【００３０】
図１６（ｅ）、（ｆ）は、接続針挿入防止用部材としてラセン状部材５を用いた以外は図１６（ｃ）、（ｄ）の例と同様であるので、説明は省略する。
以上の例では、接続針挿入防止用部材として、中板部材およびラセン状部材の例を示したが、これに限定されず、同様な機能を有する部材を用いることができる。
このように、本例の誤接続防止用スパウトは、スパウト本体とノズルが互いに分離可能とされており、使用前は、このノズルをスパウト本体に収納しておくものである。これにより、ノズルが心棒の役目を果たし、スパウト本体の環状薄肉脆弱部が補強され保護できるため、輸送中の振動や衝撃によるスパウトの破断を防ぐことができる。また、スパウト本体がノズル全体のキャップになることでノズル外周がむき出しにならず衛生面も向上させることができる。使用に際しては、ピンシールを剥がし、スパウト本体からノズルを外した後、ノズルを反転させてスパウト本体に取りつける。この状態になると環状薄肉脆弱部の保護を解除することができる。これにより、開封爪を押し倒すように横方向に指で圧力をかけると環状薄肉脆弱部が破断して、上述の図３のようにパウチの内容物の流出が可能となる。
【産業上の利用可能性】
【００３１】
本発明の誤接続防止用スパウトは、特定の形状とすることにより、接続針の挿入が防止されるようになっており、誤操作を防止することができる。また、スパウトとパウチとの間のガスバリヤ性やパウチ内容物の保存安定性が高められるようになっている。さらに、隔壁に設けられた開封爪により、特別の器具を用いなくてもワンタッチで簡単に開封することができる。
【図面の簡単な説明】
【００３２】
【図１】本発明の誤接続防止用スパウトの第一の例を示す図で、（ａ）は上面図、（ｂ）は側面断面図、（ｃ）は底面図である。
【図２】パウチに本発明の第一の例の誤接続防止用スパウトを接続した状態を示す断面図である。
【図３】パウチに接続された本発明の第一の例の誤接続防止用スパウトを開封爪により開封した状態を示す断面図である。
【図４】パウチに接続された本発明の第一の例の誤接続防止用スパウトのチューブ接続ノズルに、細い径の輸液用接続針を挿入した状態を示す側面図である。
【図５】パウチに接続された本発明の第一の例の誤接続防止用スパウトのチューブ接続ノズルに、太い径の輸液用接続針を挿入しようとした状態を示す側面図である。
【図６】パウチに接続された本発明の第一の例の誤接続防止用スパウトのチューブ接続ノズルに、ＰＥＧチューブを接続された状態を示す側面図である。
【図７】本発明の誤接続防止用スパウトの第二の例を示す図で、（ａ）は上面図、（ｂ）は側面断面図、（ｃ）は底面図である。
【図８】パウチに本発明の第三の例の誤接続防止用スパウトを接続した状態を示す断面図である。
【図９】パウチに接続された本発明の第三の例の誤接続防止用スパウトを開封爪により開封した状態を示す断面図である。
【図１０】パウチに接続された本発明の第三の例の誤接続防止用スパウトのチューブ接続ノズルに、細い径の輸液用接続針を挿入した状態を示す側面図である。
【図１１】パウチに接続された本発明の第三の例の誤接続防止用スパウトのチューブ接続ノズルに、太い径の輸液用接続針を挿入しようとした状態を示す側面図である。
【図１２】パウチに接続された本発明の第三の例の誤接続防止用スパウトのチューブ接続ノズルに、ＰＥＧチューブを接続された状態を示す側面図である。
【図１３】（ａ）〜（ｇ）は本発明に係る誤接続防止用スパウトの変形例を説明するための図である。
【図１４】（ａ）〜（ｇ）は、本発明に係る誤接続防止用スパウトの他の変形例を説明するための図である。
【図１５】（ａ）〜（ｇ）は、本発明に係る誤接続防止用スパウトのさらに他の変形例を説明するための図である。
【図１６】（ａ）〜（ｆ）は、本発明に係る誤接続防止用スパウトのさらに他の変形例を説明するための図である。
【符号の説明】
【００３３】
１、２１  開封爪
２、２２  肉厚隔壁
３、２３  開封爪分離防止帯
４  スパウト本体溶着部
５  接続針挿入防止用のラセン状部材
６  チューブ脱落防止用突起
７、２７、３７  チューブ接続ノズル
８、６０  ピンシール
９    環状薄肉脆弱部
１０、１０’、２０、１３０、１４０、１５０  誤接続防止用スパウト
１１  パウチ
１２  フィルムシート
１３  周辺部
１４  ＰＥＧチューブ
１５  蓋
１６  細い径の輸液用接続針
１７  太い径の輸液用接続針
１８  内容物
３０  Ｌ字部
５０  接続針挿入防止用の中板部材
５１、５２  半円状部材
５３  棒部材
５４、５５  穴あき円状部材
５６  網部材
１４１  くの字部
１５１  連結部
６１  ネジ付き部材
６２  ネジ部
【図１】
0004405446.tif 000002
【図２】
0004405446.tif 000003
【図３】
0004405446.tif 000004
【図４】
0004405446.tif 000005
【図５】
0004405446.tif 000006
【図６】
0004405446.tif 000007
【図７】
0004405446.tif 000008
【図８】
0004405446.tif 000009
【図９】
0004405446.tif 000010
【図１０】
0004405446.tif 000011
【図１１】
0004405446.tif 000012
【図１２】
0004405446.tif 000013
【図１３】
0004405446.tif 000014
【図１４】
0004405446.tif 000015
【図１５】
0004405446.tif 000016
【図１６】
0004405446.tif 000017